(57)【要約】  吸収性物品包装体（４０）の外側から視認可能であり、吸収性物品（１）の素材に関する情報を示す第１素材図柄（５１）と、吸収性物品包装体（４０）が少なくとも一部展開された状態で視認可能であり、素材に関する情報を示す第２素材図柄（５２）と、第２素材図柄（５２）と同時に、又は第２素材図柄（５２）が視認された後に吸収性物品包装体（４０）が更に展開された状態で視認可能であり、吸収性物品（１）の肌側面側から視認可能に吸収性物品（１）に設けられ、吸収性物品（１）の特定の概念を想起させる想起図柄（５４）を有する吸収性物品包装体（４０）。
2020095762.tif 000002
【特許請求の範囲】
【請求項１】
吸収性物品と、前記吸収性物品を包装する包装材と、を有する吸収性物品包装体であって、
前記吸収性物品包装体の外側から視認可能であり、前記吸収性物品の素材に関する情報を示す第１素材図柄と、
前記吸収性物品包装体が少なくとも一部展開された状態で視認可能であり、前記素材に関する情報を示す第２素材図柄と、
前記第２素材図柄と同時に視認可能であるか、又は、前記第２素材図柄が視認された後に前記吸収性物品包装体が更に展開された状態で視認可能な図柄であって、前記吸収性物品の肌側面側から視認可能に前記吸収性物品に設けられ、前記吸収性物品の特定の概念を想起させる想起図柄と、
を有することを特徴とする吸収性物品包装体。
【請求項２】
請求項１に記載の吸収性物品包装体であって、
前記吸収性物品包装体の第１面に、前記第１素材図柄が設けられ、
前記吸収性物品包装体の第２面に、前記素材に関する情報を示す第３素材図柄が設けられていることを特徴とする吸収性物品包装体。
【請求項３】
請求項２に記載の吸収性物品包装体であって、
前記第２面に前記包装材の開封端が設けられており、
前記第３素材図柄の面積は、前記第１素材図柄の面積よりも小さく、
前記第２素材図柄の面積は、前記第３素材図柄の面積よりも小さいことを特徴とする吸収性物品包装体。
【請求項４】
請求項３に記載の吸収性物品包装体であって、
前記想起図柄の面積は、前記第２素材図柄の面積よりも大きいことを特徴とする吸収性物品包装体。
【請求項５】
請求項２から４の何れか１項に記載の吸収性物品包装体であって、
前記第２素材図柄の光沢度は、前記第１素材図柄の光沢度と前記第３素材図柄の光沢度の少なくとも一方よりも低いことを特徴とする吸収性物品包装体。
【請求項６】
請求項１から５の何れか１項に記載の吸収性物品包装体であって、
前記包装材は、その幅方向に沿う２つの折り部において、前記吸収性物品を内包しつつ折り畳まれており、かつ、その長手方向の一方側の端を開封端とし、
前記吸収性物品は、吸収体と、前記吸収体よりも非肌側に位置する非肌側シートとを有し、
前記第２素材図柄の少なくとも一部は、前記包装材の前記長手方向の他方側の端から延出する前記非肌側シートの部位に設けられており、
前記想起図柄の少なくとも一部は、前記長手方向の最も一方側の前記折り部よりも一方側に設けられていることを特徴とする吸収性物品包装体。
【請求項７】
請求項１から６の何れか１項に記載の吸収性物品包装体であって、
前記吸収性物品は、吸収体と、前記吸収体よりも非肌側に位置する非肌側シートと、一対のウィング部を有し、その幅方向の内側に前記一対のウィング部が折り返された状態で折り畳まれており、
前記第２素材図柄の少なくとも一部は、前記ウィング部における前記非肌側シートの部位に設けられており、
前記想起図柄は、折り返された前記ウィング部と重ならない位置に設けられていることを特徴とする吸収性物品包装体。
【請求項８】
請求項１から７の何れか１項に記載の吸収性物品包装体であって、
前記吸収性物品は、
吸収体と、前記吸収体よりも肌側に位置する肌側シートとを有し、かつ、
前記吸収体と前記肌側シートとのうちの少なくとも一方が、その厚さ方向に窪んだ凹部を有し、
前記第１素材図柄、及び、前記第２素材図柄は、印刷で形成されており、
前記想起図柄は、前記凹部で形成されていることを特徴とする吸収性物品包装体。
【請求項９】
請求項８に記載の吸収性物品包装体であって、
前記想起図柄は、前記吸収性物品の幅方向に対して対称な形状であることを特徴とする吸収性物品包装体。
【請求項１０】
請求項１から９の何れか１項に記載の吸収性物品包装体であって、
前記第２素材図柄の少なくとも一部は、前記吸収性物品包装体の外側からも、前記包装材を透かして視認可能であることを特徴とする吸収性物品包装体。
【請求項１１】
請求項１から１０の何れか１項に記載の吸収性物品包装体を内包する吸収性物品包装体のパッケージであって、
前記素材に関する情報を示す図柄と文字とのうちの、少なくとも一方を有することを特徴とする吸収性物品包装体のパッケージ。
【請求項１２】
請求項１から１０の何れか１項に記載の吸収性物品包装体を内包する吸収性物品包装体のパッケージであって、
前記吸収性物品の前記特定の概念を想起させる図柄と文字とのうちの、少なくとも一方を有することを特徴とする吸収性物品包装体のパッケージ。
【発明の詳細な説明】
【技術分野】
【０００１】
本発明は、吸収性物品包装体、及び、吸収性物品包装体のパッケージに関する。
【背景技術】
【０００２】
吸収性物品として、生理用ナプキン、パンティーライナー、及び吸収パッド等がある。特許文献１に開示された吸収性物品のように、着用者の肌に直接触れるトップシートにコットン繊維を用いて肌触りを向上させることが知られている。
【先行技術文献】
【特許文献】
【０００３】
【特許文献１】特開２０１７−２０５１４３号
【発明の概要】
【発明が解決しようとする課題】
【０００４】
特許文献１のように、吸収性物品を構成する素材に工夫を施していても、そのことがユーザーに認識されないと、商品の特長部が実感されずに使用されてしまう恐れがある。  
また、吸収性物品の使用時（排泄時や生理時）には憂鬱な気分になりやすい。そのため、「高級感がある」や「かわいい」等の商品コンセプト（吸収性物品の特定の概念）を、ユーザーに認識してもらい、そのコンセプトに共感して商品を使用してもらうことが、吸収性物品の前向きな使用に繋がり、重要である。【０００５】
本発明は、上記のような従来の問題に鑑みてなされたものであって、その目的は、吸収性物品の素材、及び、吸収性物品の特定の概念（商品コンセプト）を、ユーザーに認識してもらうことである。
【課題を解決するための手段】
【０００６】
上記目的を達成するための主たる発明は、吸収性物品と、前記吸収性物品を包装する包装材と、を有する吸収性物品包装体であって、前記吸収性物品包装体の外側から視認可能であり、前記吸収性物品の素材に関する情報を示す第１素材図柄と、前記吸収性物品包装体が少なくとも一部展開された状態で視認可能であり、前記素材に関する情報を示す第２素材図柄と、前記第２素材図柄と同時に視認可能であるか、又は、前記第２素材図柄が視認された後に前記吸収性物品包装体が更に展開された状態で視認可能な図柄であって、前記吸収性物品の肌側面側から視認可能に前記吸収性物品に設けられ、前記吸収性物品の特定の概念を想起させる想起図柄と、を有することを特徴とする吸収性物品包装体である。
本発明の他の特徴については、本明細書及び添付図面の記載により明らかにする。
【発明の効果】
【０００７】
本発明によれば、吸収性物品の素材、及び、吸収性物品の特定の概念（商品コンセプト）を、ユーザーに認識してもらうことができる。
【図面の簡単な説明】
【０００８】
【図１】生理用ナプキン１を肌側から見た平面図である。
【図２】ナプキン１を非肌側から見た平面図である。
【図３】図１中のＡ−Ａ線におけるナプキン１の概略断面図である。
【図４】包装材３０の外側面を示す図である。
【図５】図５Ａは吸収性物品包装体４０の開封面を示す図であり、図５Ｂは吸収性物品４０の反開封面を示す図である。
【図６】第１折り部Ｆ１が展開された吸収性物品包装体４０を示す図である。
【図７】第２折り部Ｆ２が展開された吸収性物品包装体４０を示す図である。
【図８】第１折り部Ｆ１の展開途中を示す図である。
【図９】吸収性物品包装体４０の変形例の説明図である。
【図１０】吸収性物品包装体４０の変形例の説明図である。
【図１１】吸収性物品包装体４０の変形例の説明図である。
【図１２】吸収性物品包装体４０の変形例の説明図である。
【発明を実施するための形態】
【０００９】
本明細書及び添付図面の記載により、少なくとも以下の事項が明らかとなる。
吸収性物品と、前記吸収性物品を包装する包装材と、を有する吸収性物品包装体であって、前記吸収性物品包装体の外側から視認可能であり、前記吸収性物品の素材に関する情報を示す第１素材図柄と、前記吸収性物品包装体が少なくとも一部展開された状態で視認可能であり、前記素材に関する情報を示す第２素材図柄と、前記第２素材図柄と同時に視認可能であるか、又は、前記第２素材図柄が視認された後に前記吸収性物品包装体が更に展開された状態で視認可能な図柄であって、前記吸収性物品の肌側面側から視認可能に前記吸収性物品に設けられ、前記吸収性物品の特定の概念を想起させる想起図柄と、を有することを特徴とする吸収性物品包装体である。
【００１０】
このような吸収性物品包装体によれば、素材図柄が複数回視認されるので、素材図柄がユーザーの印象に残りやすく、吸収性物品の素材をユーザーに認識してもらうことができる。また、吸収性物品が展開された状態や、吸収性物品が包装材から剥がされて使用される状態で、想起図柄が視認されるので、想起図柄がユーザーの印象に残りやすく、吸収性物品の特定の概念をユーザーに認識してもらうことができる。
【００１１】
かかる吸収性物品包装体であって、前記吸収性物品包装体の第１面に、前記第１素材図柄が設けられ、前記吸収性物品包装体の第２面に、前記素材に関する情報を示す第３素材図柄が設けられていること。
【００１２】
このような吸収性物品包装体によれば、素材図柄が視認される回数が増えるため、素材図柄がユーザーの印象に残りやすく、吸収性物品の素材をユーザーに認識してもらうことができる。
【００１３】
かかる吸収性物品包装体であって、前記第２面に前記包装材の開封端が設けられており、前記第３素材図柄の面積は、前記第１素材図柄の面積よりも小さく、前記第２素材図柄の面積は、前記第３素材図柄の面積よりも小さいこと。
【００１４】
このような吸収性物品包装体によれば、ユーザーに視認される順番にしたがって素材図柄の面積が小さくなるため、ユーザーの意識が素材図柄から想起図柄に移りやすい。よって、想起図柄がユーザーの印象に残りやすくなる。
【００１５】
かかる吸収性物品包装体であって、前記想起図柄の面積は、前記第２素材図柄の面積よりも大きいこと。
【００１６】
このような吸収性物品包装体によれば、想起図柄がユーザーの印象に残りやすくなる。
【００１７】
かかる吸収性物品包装体であって、前記第２素材図柄の光沢度は、前記第１素材図柄の光沢度と前記第３素材図柄の光沢度の少なくとも一方よりも低いこと。
【００１８】
このような吸収性物品包装体によれば、第１素材図柄及び第３素材図柄に比べて、第２素材図柄が目立ち難くなるため、ユーザーの意識が素材図柄から想起図柄に移りやすい。よって、想起図柄がユーザーの印象に残りやすくなる。
【００１９】
かかる吸収性物品包装体であって、前記包装材は、その幅方向に沿う２つの折り部において、前記吸収性物品を内包しつつ折り畳まれており、かつ、その長手方向の一方側の端を開封端とし、前記吸収性物品は、吸収体と、前記吸収体よりも非肌側に位置する非肌側シートとを有し、前記第２素材図柄の少なくとも一部は、前記包装材の前記長手方向の他方側の端から延出する前記非肌側シートの部位に設けられており、前記想起図柄の少なくとも一部は、前記長手方向の最も一方側の前記折り部よりも一方側に設けられていること。
【００２０】
このような吸収性物品包装体によれば、最初に展開された状態で、第２素材図柄、及び、想起図柄が同時に視認されるため、両図柄がユーザーの印象に残りやすくなる。
【００２１】
かかる吸収性物品包装体であって、前記吸収性物品は、吸収体と、前記吸収体よりも非肌側に位置する非肌側シートと、一対のウィング部を有し、その幅方向の内側に前記一対のウィング部が折り返された状態で折り畳まれており、前記第２素材図柄の少なくとも一部は、前記ウィング部における前記非肌側シートの部位に設けられており、前記想起図柄は、折り返された前記ウィング部と重ならない位置に設けられていること。
【００２２】
このような吸収性物品包装体によれば、展開状態で、第２素材図柄、及び、想起図柄が同時に視認されるため、両図柄がユーザーの印象に残りやすくなる。
【００２３】
かかる吸収性物品包装体であって、前記吸収性物品は、吸収体と、前記吸収体よりも肌側に位置する肌側シートとを有し、かつ、前記吸収体と前記肌側シートとのうちの少なくとも一方が、その厚さ方向に窪んだ凹部を有し、前記第１素材図柄、及び、前記第２素材図柄は、印刷で形成されており、前記想起図柄は、前記凹部で形成されていること。
【００２４】
このような吸収性物品包装体によれば、素材図柄と想起図柄の２種類の図柄があることをユーザーに認識してもらうことができる。
【００２５】
かかる吸収性物品包装体であって、前記想起図柄は、前記吸収性物品の幅方向に対して対称な形状であること。
【００２６】
このような吸収性物品包装体によれば、吸収性物品の幅方向の一方側と他方側とで、凹部による性能差が生じてしまうことを抑制できる。
【００２７】
かかる吸収性物品包装体であって、前記第２素材図柄の少なくとも一部は、前記吸収性物品包装体の外側からも、前記包装材を透かして視認可能であること。
【００２８】
このような吸収性物品包装体によれば、吸収性物品の外側からより多くの素材図柄が視認されるため、素材図柄がユーザーの印象に残りやすく、吸収性物品の素材をユーザーに認識してもらうことができる。
【００２９】
かかる吸収性物品包装体を内包する吸収性物品包装体のパッケージであって、前記素材に関する情報を示す図柄と文字とのうちの、少なくとも一方を有することを特徴とする吸収性物品包装体のパッケージである。
【００３０】
このような吸収性物品包装体のパッケージによれば、パッケージを見たユーザーの潜在意識に、吸収性物品の素材に関する情報が刷り込まれる。よって、吸収性物品包装体の使用時に、吸収性物品の素材をユーザーにより認識してもらうことができる。
【００３１】
かかる吸収性物品包装体を内包する吸収性物品包装体のパッケージであって、前記吸収性物品の前記特定の概念を想起させる図柄と文字とのうちの、少なくとも一方を有すること。
【００３２】
このような吸収性物品包装体のパッケージによれば、パッケージを見たユーザーの潜在意識に、吸収性物品の特定の概念（商品コンセプト）が刷り込まれる。よって、吸収性物品包装体の使用時に、吸収性物品の特定の概念をユーザーにより認識してもらうことができる。
【００３３】
＝＝＝実施形態＝＝＝
以下、本発明に係る吸収性物品として生理用ナプキンを例に挙げて実施形態を説明する。ただし、吸収性物品は包装材に内包されるものであればよく、パンティーライナー、軽失禁用パッド、生理用ショーツ、使い捨ておむつ、吸収パッド等の吸収性物品であってもよい。
【００３４】
＜＜生理用ナプキン１の基本構成＞＞
図１は、生理用ナプキン１（以下「ナプキン」という）を肌側から見た平面図である。図２は、ナプキン１を非肌側から見た平面図である。図３は、図１中のＡ−Ａ線におけるナプキン１の概略断面図である。
【００３５】
ナプキン１は、互いに直交する長手方向、幅方向、及び厚さ方向を有する。ナプキン１の長手方向において、使用者の下腹部に当接する側を「前側」といい、使用者の臀部に当接する側を「後側」という。また、ナプキン１の厚さ方向において、使用者の肌に当接する側を「肌側」といい、その反対側を「非肌側」という。ナプキン１は、長手方向の中央部から幅方向の両外側に延出した一対のウィング部１Ｗを有している。
【００３６】
また、ナプキン１の幅方向の中央部には、トップシート２、中間シート３、吸収体１０、バックシート４、ウィングシート５、及びサイドシート６を有している。厚さ方向の肌側から順に、トップシート２、中間シート３、吸収体１０及びバックシート４が積層されており、サイドシート６は、トップシート２の肌側面の幅方向の端部から吸収体１０の非肌側面の幅方向の端部に亘って配置されている。つまり、サイドシート６は、それぞれ各部材２、３、１０を厚さ方向に挟むように配置されている。トップシート２、中間シート３、吸収体１０、バックシート４、ウィングシート５、及びサイドシート６はそれぞれホットメルト接着剤等の接着剤（不図示）を用いて接合固定されている。
【００３７】
トップシート２は、液透過性のシート部材であり、綿のシートを例示できる。中間シート３は、液透過性のシート部材であり、エアスルー不織布、スパンボンド不織布等を例示できる。ウィングシート５及びサイドシート６は、それぞれ疎水性のシート部材であり、エアスルー不織布、スパンボンド不織布等を例示できる。バックシート４は、液不透過性のシート部材であり、ポリエチレン（ＰＥ）の樹脂フィルム等を例示できる。バックシート４は、平面サイズが吸収体１０よりも大きく、吸収体１０の平面全体を覆っている。なお、ナプキン１は中間シート３を有していなくてもよい。
【００３８】
ウィング部１Ｗは、吸収体１０よりも非肌側において、トップシート２等の幅方向の両側部から外側に延出しているウィングシート５及びバックシート４によって形成されている。
【００３９】
吸収体１０は、排泄物を吸収して内部に保持する部材である。図３に示すように、吸収体１０は、吸収性コア１１と、吸収性コア１１を覆うカバーシート１２とを有している。吸収性コア１１は、液体吸収性繊維であるパルプ繊維やセルロース系吸収性繊維等に、液体吸収性粒状物である高吸収性ポリマー（所謂ＳＡＰ）等が加えられ、所定の形状に成形されたものである。カバーシート１２は、液透過性のシートであり、ティッシュ等を例示できる。
【００４０】
ナプキン１の非肌側面（つまり、バックシート４の非肌側面）には、接着剤が塗布される等した中央粘着部８が設けられている。中央粘着部８は、図２では長手方向に長辺を有する長方形状の１１個の中央粘着部８が幅方向に間隔を空けて配置されているが、中央粘着部８の形状、数、及び配置はこれに限られない。中央粘着部８がナプキン１の使用時に下着等の着衣の肌側面に貼り付けられることで、ナプキン１は下着等に固定される。
【００４１】
同様に、各ウィング部１Ｗの厚さ方向の非肌側面（バックシート４の非肌側面）には、ウィング粘着部９が設けられている。ウィング粘着部９は、図２では、長手方向に長辺を有する長方形状の４個のウィング粘着部９が幅方向に間隔を空けて配置されているが、ウィング粘着部９の形状、数、及び配置はこれに限られない。ナプキン１の使用時にウィング部１Ｗは非肌側に折り曲げられ、ウィング粘着部９は、下着等の非肌側面に張り付けられる。これにより、ウィング部１Ｗは下着等に固定される。
【００４２】
また、ナプキン１は、厚さ方向に窪んだ線状圧縮凹部２０を有している。線状圧縮凹部２０は、複数の点状圧縮凹部２１が間隔を空けて線状に並ぶことにより構成されており、全体として長手方向に長い略環状を成している。点状圧縮凹部２１では、トップシート２の肌側面側からトップシート２、中間シート３、及び吸収体１０（一部又は全部）が厚さ方向に圧縮されており、各部材２、３、１０が接合一体化されている。
【００４３】
なお、線状圧縮凹部２０は、ナプキン１の肌側面側から視認可能であればよく、例えば、吸収体１０のみが圧縮されていてもよいし、吸収体１０よりも肌側に位置する肌側シート（すなわちトップシート２及び中間シート３の少なくとも一方）のみが圧縮されていてもよいし、吸収体１０等がバックシート４側から圧縮されていてもよい。また、線状圧縮凹部２０は、連続した溝状の凹部であってもよい。
【００４４】
また、線状圧縮凹部２０（点状圧縮凹部２１）では、周囲に比べてナプキン１の厚みが薄く、ナプキン１の繊維密度が高くなっている。これらの比較は周知の方法で行うとよい。ナプキン１の厚みの比較としては、目視で比較する方法や、ミツトヨ（株）製のダイアルシックネスゲージＩＤ−Ｃ１０１２Ｃ又はそれと同等のものを使用し、対象部位を例えば
３．０ｇｆ／ｃｍ2で加圧して測定した値を取得して比較する方法を例示できる。ナプキン１の密度の比較としては、ナプキン１を厚さ方向に切った断面を電子顕微鏡等で拡大した画像に基づき比較する方法を例示できる。
【００４５】
＜＜包装材３０について＞＞
図４は、包装材３０の外側面を示す図である。すなわち、ナプキン１を包装材３０で包装した吸収性物品包装体４０（後述）の外側から視認される面を示す図である。
【００４６】
包装材３０は、長方形状であるシート状の部材であり、長手方向及び幅方向を有する。包装材３０は、樹脂製フィルム、不織布、紙、及びこれらをラミネートにより複合したもの等を例示できる。
【００４７】
吸収性物品包装体４０において、包装材３０の長手方向の一方側の端３０ａが他方側の端３０ｂよりも外側に位置するように、包装材３０は折り畳まれる。すなわち、包装材３０の長手方向の一方側の端が開封端３０ａとなる。包装材３０の長手方向の一方側の端部には、包装材３０の開封端３０ａを止着する止着テープ３１が設けられている。止着テープ３１は、その一部が包装材３０の長手方向の外側に延出するように、包装材３０の外側面に接着剤等で固定されている。なお、包装材３０に止着テープ３１が設けられていなくてもよい。
【００４８】
＜＜吸収性物品包装体４０について＞＞
図５Ａは、吸収性物品包装体４０の開封面３０Ａを示す図であり、図５Ｂは、吸収性物品４０の反開封面３０Ｂを示す図である。図６は、第１折り部Ｆ１が展開された吸収性物品包装体４０を示す図である。図７は、図６から第２折り部Ｆ２が展開された吸収性物品包装体４０を示す図である。
【００４９】
吸収性物品包装体４０は、包装材３０によってナプキン１が個別に包装されたものである。吸収性物品包装体４０では、図７に示すように、包装材３０の内側面上に、ナプキン１がその肌側面を上にして配置されている。包装材３０の長手方向がナプキン１の長手方向に沿い、包装材３０の幅方向がナプキン１の幅方向に沿っている。また、包装材３０の開封端３０ａ側が、ナプキン１の前側に対応している。
【００５０】
本実施形態の吸収性物品包装体４０では、包装材３０が、ナプキン１と共にナプキン１の肌側面を内側にし、幅方向に沿う２つの折り部Ｆ１，Ｆ２において、折り畳まれている。説明のため、長手方向の最も一方側（開封端３０ａ側）の折り部を第１折り部Ｆ１といい、第１折り部Ｆ１よりも長手方向の他方側の折り部を第２折り部Ｆ２という。
【００５１】
なお、折り部の数は２つに限らず、１つでも３つ以上であってもよい。また、幅方向に沿う折り部だけでなく、長手方向に沿う折り部において、包装材３０が折り畳まれていてもよい。また、包装材３０とナプキン１が個別に折り畳まれていてもよい。すなわち折り畳まれているナプキン１を内包するように、包装材３０が折り畳まれていてもよい。
【００５２】
また、吸収性物品包装体４０では、図５Ａ及び図５Ｂに示すように、包装材３０の幅方向の両側端部が接合されて、接合部４１が形成されている。接合部４１における接合方法は、ヒートシール、超音波シール、接着剤、これらの組み合わせ等、周知の接合方法を例示できる。
【００５３】
ユーザーに止着テープ３１が把持されて、第１折り部Ｆ１での折りが展開されると、図６の状態になる。更に、第２折り部Ｆ２での折りが展開されると、図７の状態となる。ナプキン１は、ウィング部１Ｗが幅方向の内側に折り返された状態で、包装材３０の内側面上に配置されている。ウィング粘着部９上には剥離シート４２が配置される。この剥離シート４２は、包装材３０と分離可能であり、図７の展開状態でユーザーが剥離する形態であってもよいし、包装材３０に接合されており、吸収性物品包装体４０の展開時に剥離される形態（不図示）であってもよい。また、包装材３０の内側面には、ナプキン１の中央粘着部８と対向する部分において、剥離シート４３（図２参照）が設けられており、ナプキン１は剥離シート４３を介して包装材３０の内側面上に配置されている。
【００５４】
＝＝＝吸収性物品包装体４０の図柄について＝＝＝
図８は、第１折り部Ｆ１の展開途中を示す図である。図９、図１０Ａ、図１０Ｂ、図１１Ａ、及び図１１Ｂは、吸収性物品包装体４０の変形例の説明図である。
【００５５】
本実施形態のナプキン１では、トップシート２を綿のシートとしている。なお、１００％の綿からなるシート部材に限らず、例えば、綿とエアスルー不織布の混合シートであってもよい。トップシート２は、着用中において着用者の肌に直接接触する部分である。そのため、トップシート２に天然繊維である綿を用いることで、着用者の肌への刺激を軽減し、着用者の肌に痒みやかぶれ等が起こる恐れを軽減できる。
【００５６】
このように、ナプキン１を構成する素材に安全な物を使用する等して、工夫を施していても、そのことがユーザーに認識されないと、商品の特長部が実感されずに使用されてしまう恐れがある。そのため、ナプキン１の素材を、ユーザーに認識してもらうことが重要である。
【００５７】
また、トップシート２を綿のシートにすることで、ナプキン１は、安全な素材を使用した高級感のある商品という印象となる。視覚的にも、トップシート２を綿のシートにすることで柔らかそうな印象となり、高級感が高まる。
【００５８】
ナプキン１のユーザーは、生理期において憂鬱な気分になりやすく、ナプキン１に対してネガティブな印象を持ちやすい。そのため、「高級感がある」等の商品コンセプト（すなわち吸収性物品の特定の概念）に共感して商品を使用してもらうことで、ナプキン１に対するネガティブな印象を軽減でき、ナプキン１の前向きな使用に繋がる。そのため、ナプキン１の商品コンセプトを、ユーザーに認識してもらうことが重要である。
【００５９】
そこで、吸収性物品包装体４０は、例えば図５Ｂに示すように、吸収性物品包装体４０の外側から視認可能であり、ナプキン１の素材に関する情報を示す素材図柄５１（第１素材図柄）を有する。本実施形態のナプキン１を構成する素材の１つが「綿」であるため、綿花を表した図柄を素材図柄５１とする。
【００６０】
また、吸収性物品包装体４０は、図６や図７に示すように、吸収性物品包装体４０が少なくとも一部展開された状態で視認可能であり、包装材３０の素材図柄５１と同じ素材（綿）に関する情報を示す素材図柄５２（第２素材図柄）を有する。すなわち、綿花を表した素材図柄５２を有する。本実施形態では、バックシート４に素材図柄５２が印刷されているとする。
【００６１】
さらに、ナプキン１には、ナプキン１の肌側面側から視認可能であり、ナプキン１の商品コンセプト（吸収性物品の特定の概念）を想起させる想起図柄５４が設けられている。本実施形態のナプキン１の商品コンセプトは「高級感」である。そのため、高級感がイメージされやすい王冠の図柄を想起図柄５４とする。この想起図柄５４は、線状圧縮凹部２０の一部が王冠の形状を成すことで形成されている。
【００６２】
想起図柄５４は、吸収性物品包装体４０の展開後に視認されるバックシート４の素材図柄５２と同時に視認可能であるか、又は、バックシート４の素材図柄５２が視認された後に吸収性物品包装体４０が更に展開された状態で視認可能であるとする。図６や図７では、バックシート４の素材図柄５２と同時に想起図柄５４が視認可能となっている。
【００６３】
このような吸収性物品包装体４０によれば、ユーザーは、吸収性物品包装体４０を開封、展開する前に素材図柄５１（図５Ｂ参照）を少なくとも１回視認し、吸収性物品包装体４０の展開後にも、素材図柄５２（図６、図７参照）を視認することになる。つまり、ユーザーは、素材図柄５１，５２を複数回視認することになる。そのため、刷り込み効果によって、素材図柄５１，５２がユーザーの印象に残りやすく、ナプキン１に綿が使用されていることをユーザーに認識してもらうことができる。よって、ユーザーは、商品の特長部（安全な素材を使用した柔らかい製品であること）を実感しながら、ナプキン１を使用できる。
【００６４】
一方、想起図柄５４は、バックシート４の素材図柄５２と同時に、又は、バックシート４の素材図柄５２が視認された後に視認される。また、想起図柄５４は、ナプキン１に設けられているため、包装材３０からナプキン１を取り外して下着に装着する際にも視認される。つまり、ユーザーは、想起図柄５４を最後に視認することになる。そのため、親近効果によって、想起図柄５４がユーザーの印象に残りやすく、ナプキン１の商品コンセプトである高級感をユーザーに認識してもらうことができる。よって、ユーザーは、高級感のあるナプキン１を使用していることを認識したり、自ら共感して選択した商品コンセプトを再認識したりすることができ、ナプキン１に対するネガティブな印象や生理期の憂鬱な気分を軽減できる。
【００６５】
このように本実施形態の吸収性物品包装体４０によれば、ナプキン１の素材、及び、ナプキン１の特定の概念（商品コンセプト）を、ユーザーに認識してもらうことができる。
【００６６】
また、図５Ａに示すように、吸収性物品包装体４０の開封面４０Ａ（第２面）、すなわち、包装材３０の開封端３０ａ及び止着テープ３１が設けられた面にも、ナプキン１の素材（綿）に関する情報を示す素材図柄５３（第３素材図柄）が設けられ、図５Ｂに示すように、吸収性物品包装体４０の反開封面４０Ｂ（第１面）にも、同じ素材（綿）に関する情報を示す素材図柄５１が設けられていることが好ましい。
【００６７】
そうすることで、ユーザーは、吸収性物品包装体４０を開封、展開する前に素材図柄５１、５３を２回視認し、吸収性物品包装体４０の展開後にも素材図柄５２を視認することになる。すなわち、ユーザーは素材図柄５１〜５３を３回以上視認することになり、素材図柄５１〜５３の刷り込み効果が高まる。そのため、ナプキン１に綿が使用されていることを、より確実にユーザーに認識してもらうことができる。ただし、上記に限定されず、吸収性物品包装体４０の開封面４０Ａと反開封面４０Ｂの片方に素材図柄５１，５３（第１素材図柄）が設けられていてもよい。
【００６８】
また、本実施形態では、吸収性物品包装体４０の外側から視認可能な第１素材図柄５１及び第３素材図柄５３は、包装材３０（外側面と内側面の少なくとも一方）に印刷されているとする。ただし、上記に限定されず、第１素材図柄及び第３素材図柄は、例えば、ナプキン１の非肌側面の中央粘着部８（図２）を覆う剥離シート４３に印刷されており、包装材３０を透かして視認可能であってもよい。
【００６９】
また、吸収性物品包装体４０の展開後に視認可能な第２素材図柄５２は、バックシート４に印刷されている。ただし、上記に限定されず、第２素材図柄は、吸収体１０よりも非肌側に位置する非肌側シート（例えばウィングシート５）に印刷されていてもよいし、包装材３０の内側面側から視認可能に包装材３０に印刷されていてもよいし、ナプキン１の中央粘着部８を覆う剥離シート４３やウィング粘着部９を覆う剥離シート４２に印刷されていてもよい。
【００７０】
また、第１〜第３素材図柄５１〜５３は、ナプキン１の同じ素材（綿）に関する情報を示す図柄であればよく、異なる形状であってもよいし、同一形状又は相似形状であってもよい。また、第１〜第３素材図柄５１〜５３の数はそれぞれ１つであっても複数であってもよい。また、第１〜第３素材図柄５１〜５３は、印刷で形成されるものに限らず、着色されずに、凹凸パターンで形成されていてもよい。
【００７１】
また、第１〜第３素材図柄５１〜５３の一例として、綿の図柄を例示しているがこれに限らない。例えば、ナプキン１の素材（冷感材料）として、ミント成分と同じ成分を使用する場合には、図１１Ａに示すように、ミントの図柄５８を素材図柄としてもよい。また、ナプキン１の素材に絹の繊維を使用する場合には、繭の図柄を素材図柄としてもよい。
また、ナプキン１の素材に漢方成分を使用する場合には、その漢方成分の生薬の図柄を素材図柄としてもよい。
【００７２】
また、想起図柄５４は、ナプキン１の肌側面側から視認可能にナプキン１に設けられていればよく、線状圧縮凹部２０で形成するに限らない。例えば、想起図柄５４は、トップシート２や中間シート３や吸収体１０に印刷されていてもよいし、ナプキン１の周縁部１Ａ（図１参照）や幅方向の両側部１Ｂに凹凸パターン（溶着パターン）で形成されていてもよい。
【００７３】
また、想起図柄５４の一例として、王冠の図柄を例示しているがこれに限らない。例えば、「かわいい」をナプキン１の特定の概念とする場合、「かわいい」という概念を想起させる想起図柄として、ハートや動物（猫）の図柄等を例示できる。また、「涼しい（蒸れ難い）」をナプキン１の特定の概念とする場合、「涼しい」という概念を想起させる想起図柄として、図１１Ｂに示すように雪の結晶の図柄等を例示できる。
【００７４】
また、第１〜第３素材図柄５１〜５３は、ナプキン１の素材に関する情報を示す図柄と文字（「綿」や「Ｃｏｔｔｏｎ」等）の組み合わせであってもよい。同様に、想起図柄５４は、ナプキン１の特定の概念を想起させる図柄と文字（例えば「高級感」）の組み合わせであってもよい。また、吸収性物品包装体４０は、第１〜第３素材図柄５１〜５３及び想起図柄５４以外の図柄、例えば図４に示す包装材３０の背景図柄５５ａ〜５５ｃや、図７に示すハート形状の線状圧縮凹部２０Ａ等を有していてもよい。
【００７５】
また、本実施形態の吸収性物品包装体４０は、第１折り部Ｆ１及び第２折り部Ｆ２において３つ折りされている。この場合、図６に示すように、包装材３０の長手方向の他方側の端３０ｂ（開封端３０ａとは反対側の端）から延出するバックシート４の部位に、素材図柄５２の少なくとも一部が設けられているとよい。また、想起図柄５４の少なくとも一部は、第１折り部Ｆ１よりも長手方向の一方側（開封端３０ａ側）に設けられているとよい。
【００７６】
そうすることで、最初に展開される第１折り部Ｆ１が展開された状態で（図６）、バックシート４の素材図柄５２と、ナプキン１の想起図柄５４とが、同時に視認される。そのため、両図柄５２、５４がユーザーの印象に残りやすく、ナプキン１の素材（綿）及びナプキン１の特定の概念（高級感）をユーザーに認識してもらうことができる。
【００７７】
また、図８に示すように、第１折り部Ｆ１の展開途中に、まず、バックシート４の素材図柄５２が視認される。つまり、包装材３０の素材図柄５１、５３の次に、バックシート４の素材図柄５２が視認されるため、素材図柄５１〜５２の刷り込み効果が高まる。また、バックシート４の素材図柄５２の後に想起図柄５４が視認されるため、想起図柄５４の親近効果が高まる。そのため、両図柄５２、５４がユーザーの印象に残りやすくなる。
【００７８】
また、ナプキン１が一対のウィング部１Ｗを有し、一対のウィング部１Ｗがナプキン１の幅方向の内側に折り返された状態で、吸収性物品包装体４０が折り畳まれている場合、図７に示すように、ウィング部１Ｗにおけるバックシート４の部位に、素材図柄５２の少なくとも一部が設けられているとよい。また、想起図柄５４は、折り返されたウィング部１Ｗと重ならない位置に設けられているとよい。
【００７９】
そうすることで、全ての折り部Ｆ１、Ｆ２が展開された状態で（図７）、バックシート４の素材図柄５２と、ナプキン１の想起図柄５４とが、同時に視認される。そのため、両図柄５２、５４がユーザーの印象に残りやすくなる。なお、長手方向におけるウィング部１Ｗの端は、ナプキン１の外形輪郭に沿う接線の傾きが、幅方向の内側に傾斜するように変化し始める位置とする。
【００８０】
また、図６、図７の状態で視認されるバックシート４の素材図柄５２は、一部欠けていてもよく、綿花を表していることが分かればよい。また、図６、図７の状態の何れか一方の状態で、バックシート４の素材図柄５２と想起図柄５４とが視認される形態でもよい。すなわち、ナプキン１が包装材３０の端３０ｂから延出していなくてもよく、ナプキン１がウィング部１Ｗを有していなくてもよい。また、ナプキン１がウィング部１Ｗを有していなくとも、ナプキン１の幅が広い場合には、図７に示すようにナプキン１の幅方向の両側部１Ｃを折り返した状態で包装し、その折り返した部位１Ｃのバックシート４に素材図柄５２を設けるとよい。そうすることで、吸収性物品包装体４０が展開された状態で素材図柄５２が視認可能となる。
【００８１】
また、ユーザーがウィング部１Ｗの剥離シート４２を剥離する場合、剥離シート４２を透かしてウィング部１Ｗの素材図柄５２が視認可能であることが好ましい。そうすることで、全ての折り部Ｆ１、Ｆ２が展開された状態で、バックシート４の素材図柄５２が視認され、素材図柄５２がユーザーの印象に残りやすくなる。
【００８２】
その他、例えば、図１１Ａ及び図１１Ｂに示すように、第２折り部Ｆ２よりも長手方向の他方側に、想起図柄５４を設けてもよい。また、図１１Ａ及び図１１Ｂに示すナプキン１はウィング部を有さない。この場合、ユーザーは、第１折り部Ｆ１を展開した状態で、包装材３０から延出するバックシート４の素材図柄５８（ミント）を視認し、その後、吸収性物品包装体４０を更に展開した状態で想起図柄５９（雪の結晶）を視認することになる。この場合にも、刷り込み効果により素材図柄５８がユーザーの印象に残りやすく、親近効果により想起図柄５９がユーザーの印象に残りやすくなる。
【００８３】
また、バックシート４の素材図柄５２は、図２に示すように、ナプキン１の非肌側面の中央粘着部８と重なる位置にも設けられていることが好ましい。そうすることで、ユーザーが包装材３０からナプキン１を剥がす際にも、バックシート４の素材図柄５２が再度視認されやすく、素材図柄５２がユーザーの印象に残りやすくなる。
【００８４】
また、吸収性物品包装体４０の開封面４０Ａの素材図柄５３（図５Ａ）の面積は、反開封面４０Ｂの素材図柄５１（図５Ｂ）の面積よりも小さく、バックシート４の素材図柄５２の面積（図６、図７）は、開封面４０Ａの素材図柄５３の面積よりも小さいことが好ましい。
【００８５】
ユーザーが吸収性物品包装体４０を開封する際に視認される図柄の順番は、反開封面４０Ｂの素材図柄５１、開封面４０Ａの素材図柄５３、バックシート４の素材図柄５２の順番となる。そのため、上記の面積関係にすることで、ユーザーに視認される素材図柄５１〜５３の面積を徐々に小さくすることができ、ユーザーの意識が素材図柄５１〜５３から想起図柄５４に移りやすくなる。そのため、想起図柄５４は、最後に１回視認されるだけであっても、ユーザーの印象に残りやすくなる。よって、ナプキン１の特定の概念（商品コンセプト）をユーザーに認識してもらうことができる。
【００８６】
さらに、想起図柄５４の面積は、バックシート４の素材図柄５２の面積よりも大きいことが好ましい。そうすることで、想起図柄５４は、最後に１回視認されるだけであっても、ユーザーの印象に残りやすくなる。
【００８７】
なお、吸収性物品包装体４０が、バックシート４の素材図柄５２のように第２素材図柄を複数有する場合、複数の第２素材図柄のうちの少なくとも１つの面積が、開封面４０Ａの素材図柄５３の面積よりも小さければよいとする。また、想起図柄５４の面積は、複数の第２素材図柄のうちの少なくとも１つの面積よりも大きければよいとする。
【００８８】
また、図柄の面積の比較は、周知の方法で行うとよい。例えば、目視により比較してもよい。また、図４や図６に示すように、図柄５１〜５４の幅方向の両端を通る長手方向に沿う線と、図柄５１〜５４の長手方向の両端を通る幅方向に沿う線とで囲まれる矩形領域Ｒ１〜Ｒ４の面積で比較してもよい。その他、面積算出プログラムを利用して、図柄５１〜５４の輪郭に沿う図面の面積を算出して比較してもよい。また、バックシート４の素材図柄５２のように、大きさの異なる複数の図柄が存在する場合、想起図柄５４と同時に視認される複数の素材図柄５２（図６、図７参照）の何れか１つ、又は、想起図柄５４の前に視認される複数の素材図柄の何れか１つと比較するとよい。
【００８９】
また、本実施形態の吸収性物品包装体４０の商品コンセプトは高級感である。そのため、開封面４０Ａの素材図柄５３と反開封面４０Ｂの素材図柄５１との少なくとも一方を、比較的に光沢度の高い図柄としてもよい。例えば、金属粒子（例えばアルミ粒子や銅粒子）を有するインクを用いたメタリック印刷により、素材図柄５１、５３を形成するとよい。そうすることで、包装材３０の素材図柄５１、５３を見たユーザーが、ナプキン１に対して高級感がある印象を抱きやすくなる。
【００９０】
その場合、バックシート４の素材図柄５２はメタリック印刷により形成しないことが好ましい。つまり、バックシート４の素材図柄５２（第２素材図柄）の光沢度は、開封面４０Ａの素材図柄５３（第３素材図柄）の光沢度と反開封面４０Ｂの素材図柄５１（第１素材図柄）の光沢度の少なくとも一方よりも低くするとよい。そうすることで、包装材３０の素材図柄５１、５３に比べて、バックシート４の素材図柄５２が目立ち難くなる。そのため、ユーザーの意識が素材図柄５１〜５３から想起図柄５４に移りやすくなり、想起図柄５４は、最後に１回視認されるだけであっても、ユーザーの印象に残りやすくなる。ただし、上記に限らず、包装材３０の素材図柄５１、５３がメタリック印刷により形成されていなくてもよいし、バックシート４の素材図柄５２がメタリック印刷により形成されていてもよい。
【００９１】
なお、光沢度の比較（測定）は、周知の方法で行うとよい。例えば、ＩＴＥＣＨ社のＭＮ  ＧＬＯＳＳＭＥＴＥＲ（光沢度計）を用いて、測定角度６０°での鏡面光沢度を測定し、比較することができる。
具体的には、まず、較正用標準板（屈折率１．５６７の黒色板）を用いて、光沢度計の較正を行う。
次に、較正用標準板の上に、皺が発生していないように平らにサンプルを置く。包装材３０の素材図柄５１、５３の測定は、吸収性物品包装体４０の外側面を上にして行う。また、図５Ａや図５Ｂに示すように吸収性物品包装体４０の形態（すなわち、包装材３０がナプキン１を内包して折り畳まれている状態）で測定することが好ましい。バックシート４の素材図柄５２の測定は、ナプキン１の非肌側面を上にして行う。また、図２に示すように、ナプキン１が展開している状態で測定することが好ましい。
次に、サンプルの上に光沢度計を置き、入射角が６０°の光源でサンプルを照射し、サンプルから反射した反射光を光検出器により６０°の受光角で受光する。この時の反射光の強さ（光沢度計の測定結果）を、サンプルの光沢度（Ｇｓ）として記録する。なお、同一の測定箇所につき、複数回（例えばＮ＝１０）の測定を行い、その最大値（又は平均値や最小値）を、その測定箇所の光沢度とする。
なお、バックシート４の素材図柄５２については、中央粘着部８及びウィング粘着部９と重ならない位置にて測定する。また、素材図柄５２、５３の印刷面積（塗りつぶし面積）が大きい箇所を測定中心として測定する。
【００９２】
同様に、包装材３０の素材図柄５１、５３の濃度よりも、バックシート４の素材図柄５２の濃度を低くするとよい。そうすることで、包装材３０の素材図柄５１、５３に比べて、バックシート４の素材図柄５２が目立ち難くなる。そのため、ユーザーの意識が素材図柄５１〜５３から想起図柄５４に移りやすくなり、想起図柄５４は、最後に１回視認されるだけであっても、ユーザーの印象に残りやすくなる。ただし、上記に限らず、包装材３０の素材図柄５１、５３の濃度が、バックシート４の素材図柄５２の濃度以下であってもよい。
【００９３】
なお、濃度の比較は、周知の方法で行うとよい。例えば、測色器を用いて、白色に対する各図柄５１〜５３の「色差」を測定する方法を例示できる。具体的には、測定対象の図柄５１〜５３を有する部材の下に、白色の基準板を配置する。次に、色差計を用いて、図柄５１〜５３の部位と、白色の基準板とを測定する。なお、測定値（Ｌ*値、ａ*値、ｂ*値）は複数回測定した値の平均値を用いるとよい。そして、白色の基準板に対する図柄５１〜５３の色差ΔＥ*ａｂを次式にて算出する。
ΔＥ*ａｂ＝[（ΔＬ*）2＋（Δａ*）2＋（Δｂ*）2]1/2
この色差ΔＥ*ａｂが大きいほど、図柄５１〜５３の濃度が濃いといえる。
【００９４】
また、包装材３０の素材図柄５１、５３及びバックシート４の素材図柄５２は、印刷で形成されており、想起図柄５４は線状圧縮凹部２０（凹部）で形成されていることが好ましい。
【００９５】
このように、素材図柄５１〜５３と想起図柄５４とで表示方法を異ならせることで、ユーザーが、素材図柄５１〜５３を視認した後に、素材図柄５１〜５３とは異なる想起図柄５４が存在することを認識しやすくなる。そのため、素材図柄５１〜５３及び想起図柄５４が共にユーザーの印象に残りやすくなり、ナプキン１の素材及びナプキン１の特定の概念をユーザーに認識してもらうことができる。
【００９６】
また、図７に示すように、想起図柄５４（王冠）が線状圧縮凹部２０で形成される場合、想起図柄５４はナプキン１の幅方向に対して対称な形状であることが好ましい。線状圧縮凹部２０は、図柄を表すだけでなく、吸収体１０の型崩れ防止や、吸収体１０の液拡散性向上等の機能を果たす。そのため、想起図柄５４が幅方向に対して対称であることで、ナプキン１の幅方向の一方側と他方側とで性能差が生じてしまうことを抑制できる。
【００９７】
ただし、上記に限定されず、素材図柄５１〜５３と想起図柄５４とが同じ表示方法であってもよい。また、想起図柄５４がナプキン１の幅方向に対して非対称な形状であってもよい。
【００９８】
また、包装材３０は比較的に透明度の高いシート部材であることが好ましい。その場合、図９に示すように、バックシート４の素材図柄５２の少なくとも一部は、吸収性物品包装体４０の外側からも、包装材３０を透かして視認可能となる。
【００９９】
そうすることで、ユーザーは、包装材３０の素材図柄５１、５３と同時に、バックシート４の素材図柄５２も視認することになり、１度により多くの数の素材図柄５１〜５３を視認することになる。よって、刷り込み効果が高まり、素材図柄５１〜５３がユーザーの印象に残りやすく、ナプキン１の素材（綿）をユーザーに認識してもらうことができる。
【０１００】
一方、想起図柄５４は、吸収性物品包装体４０の外側から視認不可能であることが好ましい。そうすることで、ユーザーが包装材３０の素材図柄５１、５３を視認する際に、想起図柄５４が視認されることがなく、素材図柄５１、５３の刷り込み効果が軽減してしまうことを抑制できる。よって、素材図柄５１〜５３がユーザーの印象に残りやすくなる。
【０１０１】
ただし、上記に限定されず、バックシート４の素材図柄５２（第２素材図柄）が吸収性物品包装体４０の外側から視認不可能であってもよい。また、想起図柄５４が吸収性物品包装体４０の外側から視認可能であってもよい。
【０１０２】
また、吸収性物品包装体４０の外側から視認可能な素材図柄（第１素材図柄、第３素材図柄）は、図１０Ａに示すように、包装材３０に設けられる代わりに止着テープ３１に設けられていてもよいし、包装材３０の素材図柄５１、５３と共に止着テープ３１に設けられていてもよい。ユーザーは止着テープ３１を把持して吸収性物品包装体４０を開封する。そのため、止着テープ３１の素材図柄５６はユーザーに着目されやすく、ユーザーの印象に残りやすくなる。
【０１０３】
また、吸収性物品包装体４０が少なくとも一部展開された状態で視認可能な素材図柄（第２素材図柄）は、図１０Ｂに示すように、止着テープ３１が止着される包装材３０の部位Ｐ３１に設けられていてもよい。この素材図柄５８は、バックシート４の素材図柄５２の代わりに設けられていてもよいし、バックシート４の素材図柄５２と共に設けられていてもよい。この場合、ユーザーが止着テープ３１を剥がす際に素材図柄５８が視認され、素材図柄５８はユーザーに着目されやすく、ユーザーの印象に残りやすくなる。
【０１０４】
＝＝＝吸収性物品包装体４０のパッケージ６０について＝＝＝
図１２は、吸収性物品包装体４０のパッケージ６０の斜視図である。パッケージ６０（袋部材）は、１個又は複数個の吸収性物品包装体４０を内包する。図１２に示すパッケージ６０は略直方体形状であり、パッケージ６０の蓋部材６０Ａを開くことにより、パッケージ６０から吸収性物品包装体４０を取り出し可能となっている。なお、図１２に示すパッケージ６０の形状は一例であり、これに限定されない。
【０１０５】
パッケージ６０は、吸収性物品包装体４０が有する素材図柄５１〜５３が示す素材と同じ素材（綿）に関する情報を示す素材図柄６１（例えば綿花を表した図柄）と、素材文字６２（例えば「綿使用」等）とのうちの、少なくとも一方を有することが好ましい。
【０１０６】
そうすることで、パッケージ６０を見たユーザーに、ナプキン１の素材（綿）について認識してもらうことができる。また、パッケージ６０の素材図柄６１や素材文字６２を見たユーザーの潜在意識には、ナプキン１の素材が刷り込まれる。そのため、吸収性物品包装体４０を使用する際に、吸収性物品包装体４０の素材図柄５１〜５３を見たユーザーは、ナプキン１の素材を再認識し、素材図柄５１〜５３がユーザーの印象により残りやすくなる。そのため、ナプキン１の素材による特長部を実感しながら、ナプキン１を使用してもらうことができる。
【０１０７】
同様に、パッケージ６０は、ナプキン１の特定の概念（商品コンセプト）を想起させる想起図柄６３（例えば王冠を表した図柄）と、想起文字６４（例えば「高級感」）とのうちの、少なくとも一方を有することが好ましい。
【０１０８】
そうすることで、パッケージ６０を見たユーザーに、ナプキン１の特定の概念（高級感）を認識してもらうことができる。そのため、ナプキン１の商品コンセプトに共感してもらいながら、ナプキン１を使用してもらうことができる。また、パッケージ６０の想起図柄６３や想起文字６４を見たユーザーの潜在意識には、ナプキン１の特定の概念が刷り込まれる。そのため、吸収性物品包装体４０を使用する際に、ナプキン１の想起図柄５４を見たユーザーは、ナプキン１の商品コンセプトを再認識し、想起図柄５４がユーザーの印象により残りやすくなる。そのため、ナプキン１に対するネガティブな印象や、生理期の憂鬱な気分を軽減できる。
【０１０９】
なお、図１２では、パッケージ６０の外側面であり正面に、素材図柄６１等が設けられている。ただし、これに限らず、パッケージ６０の何れかの部位（例えば内側面や側面等）に設けられていてもよい。例えば、蓋部材６０Ａ（具体的にはパッケージ６０の本体部に着脱可能に設けられたシール部材６０Ａ）の内側に素材図柄６１（素材文字６２）を設け、パッケージ６０の外側面に想起図柄６３（想起文字６４）を設けてもよいし、逆に、蓋部材６０Ａの内側に想起図柄６３（想起文字６４）を設け、パッケージ６０の外側面に素材図柄６１（素材文字６２）を設けてもよい。この場合、ユーザーは、素材図柄６１（素材文字６２）と想起図柄６３（想起文字６４）とを個別に視認するため、各図柄（各文字）がユーザーの潜在意識に残りやすくなる。よって、ナプキン１の素材及び商品コンセプトを、よりユーザーに認識してもらうことができる。
【０１１０】
以上、本発明の実施形態について説明したが、上記の実施形態は、本発明の理解を容易にするためのものであり、本発明を限定して解釈するためのものではない。また、本発明は、その趣旨を逸脱することなく、変更や改良され得るとともに、本発明にはその等価物が含まれるのはいうまでもない。
【符号の説明】
【０１１１】
１  ナプキン（吸収性物品）、
２  トップシート（肌側シート）、３  中間シート（肌側シート）、
４  バックシート（非肌側シート）、５  ウィングシート（非肌側シート）、
６  サイドシート、
８  中央粘着部、９  ウィング粘着部、
１０  吸収体、１１  吸収性コア、１２  カバーシート、
２０  線状圧縮凹部（凹部）、２１  点状圧縮凹部、
３０  包装材、３０ａ  開封端、３１  止着テープ、
４０  吸収性物品包装体、４１  接合部、４２、４３  剥離シート、
５１  素材図柄（第１素材図柄）、５２  素材図柄（第２素材図柄）、
５３  素材図柄（第３素材図柄）、５４  想起図柄、
５５ａ〜５５ｃ  背景図柄、
５６  素材図柄（第１、第３素材図柄）、
５７、５８  素材図柄（第２素材図柄）、
５９  想起図柄、
６０  パッケージ、
６１  素材図柄、６２  素材文字、
６３  想起図柄、６４  想起文字、
【図１】
2020095762.tif 000003
【図２】
2020095762.tif 000004
【図３】
2020095762.tif 000005
【図４】
2020095762.tif 000006
【図５】
2020095762.tif 000007
【図６】
2020095762.tif 000008
【図７】
2020095762.tif 000009
【図８】
2020095762.tif 000010
【図９】
2020095762.tif 000011
【図１０】
2020095762.tif 000012
【図１１】
2020095762.tif 000013
【図１２】
2020095762.tif 000014
【国際調査報告】
2020095762.tif 000015
2020095762.tif 000016
2020095762.tif 000017
2020095762.tif 000018